(57)【要約】患者支持装置（３１０）はベース（３１２）、ベース（３１２）に連結されたフレーム（３１６）、およびフレーム（３１６）に支持されかつ患者を支持するためにフレーム（３１６）上になるように位置決めされるマットレス（３３８）を含む。動力パック（３５０，３７２，４００）がベースの一つに枢軸回転自在に連結され、フレーム（３１６）およびマットレス（３３８）がマットレス（３３８）へ媒体を供給するように構成されている。
2004503298.tif 000002
【特許請求の範囲】
【請求項１】
ベース、
前記ベースに連結されたフレーム、
前記フレームにより支持されかつ前記フレーム上に位置して患者を支持するマットレス、および
前記ベース、前記フレーム、および前記マットレスの一つに枢軸回転自在に連結された動力パックを含み、
前記マットレスは媒体を受けることのできる少なくとも一つのブラダを有し、かつ
前記動力パックは前記マットレスの少なくとも一つブラダに媒体を供給するように構成されている、患者支持装置。
【請求項２】
前記動力パックはピボットコネクタにより前記フレームへ枢軸回転自在に連結され、前記動力パックは前記ピボットコネクタを介して前記マットレスの少なくとも一つのブラダへ媒体を供給できる構成である、請求項１の装置。
【請求項３】
前記ピボットコネクタは、前記動力パックからエアカプラを介して前記少なくとも一つのブラダへ空気を供給するために前記マットレスのエアカプラを受けることのできるリセプタクルを含む、請求項２の装置。
【請求項４】
前記フレームはヘッドフレームセクション、バックフレームセクション、シートフレームセクション、およびレッグフレームセクションを含み、前記動力パックは前記バックフレームセクションへ枢軸回転自在に連結されている、請求項１の装置。
【請求項５】
前記動力パックは前記フレームに枢軸回転自在に連結され、前記動力パックは、前記動力パックが実質的に前記フレーム下に位置決めされる第一位置から、前記動力パックが実質的に前記フレームの外側に位置決めされる第二位置へ枢軸回転自在である、請求項１の装置。
【請求項６】
前記動力パックは前記ベースに枢軸回転自在に連結され、前記動力パックは前記動力パックが前記ベースの上面上で実質的に前記ベースの足型内に位置決めされる第一位置から、前記動力パックが実質的に前記ベースの足型の外側に位置決めされる第二位置へ枢軸回転自在である、請求項１の装置。
【請求項７】
前記動力パックと前記ベース間に連結された可撓性供給ラインを更に含み、前記供給ラインは空気供給ライン、および前記可撓性供給ラインを介して前記動力パックから前記ベースへ延びた電気供給ラインを含む、請求項６の装置。
【請求項８】
前記ベースは相互に離隔した第一および第二側壁を含み、かつ前動力パックはハウジング、および前記ハウジングに連結された相互に離隔した第一および第二アームを含み、第一および第二アームは前記ベースの第一および第二側壁にそれぞれ枢軸回転自在に連結されている、請求項６の装置。
【請求項９】
前記動力パックから前記ベースを介して前記フレームに隣接設置されたエアカプラへ延びる空気供給ラインを更に含み、前記エアカプラは前記マットレスの対応するエアカプラに係合する構成である、請求項６の装置。
【請求項１０】
前記動力パックは前記マットレスに束縛されている、請求項１の装置。
【請求項１１】
前記動力パックは、前記マットレスが前記フレーム上に位置決めされるときに、前記フレーム下で下方へ延びる構成である、請求項１０の装置。
【請求項１２】
前記フレームに連結された複数のデッキセクションを更に含み、前記マットレスは前記マットレスおよび前記動力パックに連結された束縛コネクタを含み、前記束縛コネクタは、前記マットレスが前記デッキセクション上に位置するときに前記動力パックが前記デッキセクションおよび前記フレームの下に位置決めされるように、隣接するデッキセクション間に延びている、請求項１０の装置。
【請求項１３】
前記動力パックは自由懸垂位置から前記フレームおよび前記デッキセクションの一つに連結された少なくとも一つの保管位置へ移動自在である、請求項１２の装置。
【請求項１４】
前記動力パックは前記フレームまたは前記デッキセクションに対して、相互に離隔した第一および第二保管位置へ移動自在である、請求項１３の装置。
【請求項１５】
前記動力パックから外方へ延びる動力ラインを更に含み、前記動力ラインは前記フレーム上の電気リセプタクルに接続されて電力を前記動力パックに供給できるように構成されている、請求項１０の装置。
【請求項１６】
前記束縛コネクタはバックデッキセクションとヘッドデッキセクションとの間で下方へ延び、前記ヘッドデッキセクションは前記バックデッキセクションに対して移動自在であって、前記マットレスおよび前記動力パックの設置を可能にする、請求項１２の装置。
【請求項１７】
前記動力パックにより前記マットレスへ供給される媒体は空気である、請求項１の装置。
【請求項１８】
前記フレームは種々の所定外科位置に付くように構成されている、請求項１の装置。
【請求項１９】
前記マットレスは、前記媒体が前記動力パックにより前記マットレスの少なくとも一つのブラダへ供給されるときに、種々の所定外科位置につくように構成されている、請求項１の装置。
【請求項２０】
前記動力パックは前記マットレスの温度を変更するために前記マットレスへ熱を供給できる構成である、請求項１の装置。
【請求項２１】
前記動力パックから前記マットレスへ媒体を配送するために前記動力パックから前記マットレスへ延びる可撓性ホースを更に含む、請求項１の装置。
【請求項２２】
前記フレームおよび前記ベースを相互に連結する垂直支持部材、および前記動力パックから前記マットレスへ媒体を移送するために前記動力パックと前記マットレス間に延びるホースを更に含み、
前記垂直支持部材は前記ベースに対して複数の異なる高さに前記フレームを位置決めするために垂直方向へ移動でき、かつ
前記ホースは前記ベースおよび前記垂直支持部材内に隠れている、請求項１の装置。
【請求項２３】
前記マットレスはヘッドセクション、前記ヘッドセクションに隣接する胴セクション、および前記胴セクションに隣接するレッグセクションを含み、各前記セクションは少なくとも二つのブラダを有する複数の領域を有し、各前記ブラダは個別的に膨張できる構成である、請求項１の装置。
【請求項２４】
前記動力パックの近傍に位置決めされたコントローラを更に含み、前記コントローラは前記動力パックから前記マットレスへの媒体の配送を制御できる構成である、請求項１の装置。
【請求項２５】
前記コントローラは前記ベースに取り付けられかつ外科医の足により操作可能である、請求項２４の装置。
【請求項２６】
前記コントローラは手に持つことのできるワイヤレスコントローラである、請求項２４の装置。
【請求項２７】
前記マットレスは、前記マットレスのカバーの内部で少なくとも一つのブラダ上に位置決めされかつ前記マットレスの温度を調節できる熱パッドを更に含む、請求項１の装置。
【発明の詳細な説明】
【０００１】
［発明の背景および概要］
本発明は手術室台または外科台に関する。更に具体的には、本発明は患者を支持するために複数の膨張自在ブラダを有するマットレス、および前記ブラダに空気を供給する構成の動力パックを含む外科台に関する。
【０００２】
手術室台は外科処置時に患者を支持するためにヘルスケア産業で永年既知である。近年、外科台は、外科台のヘッドセクション、胴セクションおよびレッグセクションの動力関節回転（または結合）、高さ調整、傾斜調整、配向調整等の種々の特徴およびオプションを付加することにより医者および看護婦にとって一段と有用かつ便利になってきている。これらの特徴およびオプションは医者が所定外科処置に最適な種々の位置で患者を支持する上で非常に融通性のあるものであるが、他方でその使用法が困難かつ失望させるものである。更に、種々の制御特徴を有する外科台は困難な位置へ外科台を移動するのに必要な動力を供給するために分離した動力パックを必要とする。更に、マットレス面システムは同様に技術的に一層複雑になってきており、このことがしばしば更にその使用を煩瑣かつ失望させるものになっている。
【０００３】
本発明の一実施形態によれば、ベース、前記ベースから上方へ垂直に延在する垂直支持部材、前記支持部材から外方に延在するフレーム、および前記フレームにより支持されかつ前記フレーム上に位置決めされるマットレスを含む。前記マットレスは患者を支持できる構成でありかつ媒体を受けることのできる少なくとも一つのブラダを有する。前記外科台は、更に、前記ベース内に位置決めされかつ前記マットレスの形状を変化させるために前記マットレスへ媒体を供給するように構成された動力パックを含む。
【０００４】
一実施形態において、前記媒体は前記動力パックにより前記マットレスへ供給される空気である。他の実施形態において、前記媒体は前記動力パックにより前記マットレスへ供給される液体である。前記動力パックは前記マットレスの温度を変更するために前記マットレスへ熱を供給できる構成である。実施例として、可撓性ホースが、前記動力パックから前記マットレスへ媒体を配送するために、前記動力パックから前記マットレスへ延びている。前記ホースは前記ベースおよび前記フレームの前記垂直支持部材内に隠されている。
【０００５】
本発明の他の実施形態によれば、外科台はベース、前記ベースに対して離隔関係で位置決めされたフレーム、および前記フレームおよび前記ベースを相互連結する垂直支持部材を含む。前記支持部材は前記ベースに対して種々の異なる高さで前記フレームを位置決めするために垂直方向に伸縮するように構成されている。前記外科台は、また、前記フレーム上に横たわるように位置決めされかつ患者を支持できるマットレスを含む。前記マットレスは上方に面した患者支持面を有しかつ前記マットレスの内領域を形成するカバー、および前記カバーの内領域に受けられかつ患者を前記マットレス上で所定外科位置に位置決めするために膨張自在の複数のブラダを含む。前記外科台は更に前記フレームのベース内に横たわるように位置決めされかつ前記ブラダを膨張させるために前記ブラダに空気を供給できる構成のブロアを含む。
【０００６】
本発明の他の実施形態によれば、外科台は、患者支持台を有するフレーム、および前記患者支持台上に横たわるように位置決めされるマットレスを含む。前記マットレスは外科処置時に患者を支持するように構成されている。前記マットレスは上方に面した患者支持面を有しかつ前記マットレスの内領域を形成するカバー、および前記カバーの内領域に受けられかつ前記マットレスを横切って側方へ延在する複数のブラダ対を含む。前記ブラダ対は他のブラダ対に隣接して位置決めされ、かつ各ブラダ対は下ブラダおよび前記下ブラダ上に位置決めされた上ブラダを有する。各ブラダ対内の各ブラダは前記マットレス上で所定外科位置へ患者を位置決めするために個別的に膨張自在である。
【０００７】
本発明の他の実施形態によれば、外科台は、マットレス、前記マットレス下に位置決めされかつ前記マットレスを支持できる構成の患者支持台、前記患者支持台に離隔関係で位置決めされたベース、および前記ベースと前記患者支持台を相互連結する垂直支持部材を含む。前記支持部材は、前記ベースに対して種々の異なる高さで前記患者支持台を支持できる構成である。前記外科台は、前記ベース内に横たわるように位置決めされかつ所定外科位置に患者を位置決めするために前記マットレスの形状を変化させるための媒体を前記マットレスへ供給できる動力パック、および前記動力パックと前記マットレスを相互連結するホースを含む。前記ホースは前記動力パックから前記マットレスへ媒体を移送するように構成されている。前記外科台は、更に、前記動力パックの近傍に位置決めされたコントローラを含む。前記コントローラは、前記マットレスの形状を変化させるために前記動力パックから前記マットレスへの媒体の配送を制御するように構成されている。
【０００８】
本発明によれば、患者支持装置はベース、前記ベースに連結されたフレーム、前記フレームにより支持されかつ患者を支持するために前記フレーム上に横たわるように位置決めされたマットレスを含む。前記マットレスは媒体を受けることのできる少なくとも一つのブラダを有する。前記患者支持装置は、更に、前記ベース、前記フレーム、および前記マットレスの一つに枢軸回転自在に連結されかつ前記マットレスの少なくとも一つのブラダへ媒体を供給するように構成された動力パックを含む。
【０００９】
一実施形態において、前記動力パックはピボットコネクタにより前記フレームに枢軸回転自在に連結されている。前記動力パックは前記ピボットコネクタを介して前記マットレスの少なくとも一つのブラダへ媒体を供給できる構成である。前記ピボットコネクタは、前記動力パックからエアカプラを介して前記少なくとも一つのブラダへ空気を供給するために前記マットレスのエアカプラを受けることのできるリセプタクルを含む。前記動力パックは、前記動力パックが実質的に前記フレーム下に位置決めされる第一位置から、前記動力パックが実質的に前記フレームの外側に位置決めされる第二位置へ枢軸回転自在である。
【００１０】
他の実施形態において、前記動力パックは前記ベースに枢軸回転自在に連結されている。前記動力パックは、前記動力パックが前記ベースの上面上で実質的に前記ベースの足型内に位置決めされる第一位置から、前記動力パックが実質的に前記ベースの足型の外側に位置決めされる第二位置へ枢軸回転自在である。
【００１１】
他の実施形態において、前記動力パックは前記マットレスに束縛される。前記マットレスはそのマットレスおよび前記動力パックに連結された束縛コネクタを含む。前記束縛コネクタは隣接デッキセクション間に延び、それにより前記マットレスが前記デッキセクション上に位置決めされたときに前記動力パックが前記デッキセクションおよび前記フレーム下に位置決めされる。前記動力パックは前記フレームおよび前記デッキに対して移動自在であり、相互に離隔した第一および第二保管位置へ移動する。
【００１２】
本発明の他の特徴は本発明の最良の実施例と現在考えられる次の詳細な説明を検討することにより当業者に理解されるであろう。
【００１３】
［図面の詳細な説明］
図面を参照すると、本発明による外科台１０は手術室１２において通常使用される状態で図１に示されている。図１に示されたように、手術室１２は、外科台１０、外科照明システム１４、制御ステーション１６、ＩＶスタンド１８、および医療装置コントローラ１９を含む。図１に示されたように、典型的には、外科医２０および一人またはそれ以上のアシスタント２２が患者２４の処置を行ない、他方、麻酔専門医または看護婦等の他の介護人２６が、制御ステーション１６またはコントローラ１９（仮想線で図示）を使用して遠隔場所から外科台１０を含む手術室設備を制御および監視する。
【００１４】
図１−８に示されたように、外科台１０は手術室１２内の空間を保つことによって手術室１２の環境を向上させる。詳細に後述するように、外科台１０はベース３２内への動力パック６４の保管を可能にするベース３２を有することによりスペースを確保する。従って、動力パック６４は手術室１２内の付加的床スペースを占領する手術室設備の分離片を必要としない。代わりに、動力パック６４は外科台１０のベース３２内に収容される。
【００１５】
図９−２２に示されたように、外科台１０は、特定外科処置に対応する所定外科位置もしくは手術位置への外科医２０による患者２４の位置決めを可能にするマットレスシステム３８を有することによって、手術室１２内の環境およびそこで働く外科医２０の効率を向上させる。当然ながら、外科台１０は後述するように関節結合されたフレーム３０を含み、これは患者２４の所定外科位置への位置決めを可能にする。しかし、マットレスシステム３８を使用することによる患者２４の位置決めは、手術時に患者２４の所定部位へのアクセスを容易にするために外科医２０による患者２４の位置決めの微調整を可能にする関節式フレーム３０を使用することに付随する。
【００１６】
ベース３２かつ／またはマットレス３８に使用する他の適宜フレームの詳細は「外科台装置」に関する米国特許出願第０９／１８７，９９０号に開示されており、ここに参考として組み込まれる。同様に、マットレスシステム３８かつ／または動力パック６４用のコントローラの詳細は「医療設備コントローラ」に関する米国特許出願第０９／１８７，８２５号に開示されており、ここに参考として組み込まれる。
【００１７】
図１および２に示されたように、外科台１０は関節式フレーム３０、ベース３２、関節式フレーム３０とベース３２とを相互に連結する支脚３４、および関節式フレーム３０上のマットレス３８を含む。関節式フレーム３０は、図２に示されたように、ヘッドセクション４２、上バックセクション４４、下バックセクション４６、シートセクション４８、および少なくとも一つのレッグセクション５０を含む。フレーム３０のセクションはピボットを介して隣接するセクションに長手方向で連結されて、隣接セクションがモータ（図示せず）により相互に対して回転するようになっている。従って、患者２４を図１に示されたように所定外科位置に位置決めできるように関節式フレーム３０のセクションを移動させるための、外科台１０は制御ステーション１６かつ／またはコントローラ１９から制御信号を受信する。
【００１８】
支脚（または垂直支持柱）３４は所定位置に患者２４を位置決めするために同様に調整自在である。支脚３４は、ベース３２および地面に対して関節式フレーム３０を上昇下降するために上方および下方へ格納式に支脚３４を移動するためのハイ／ロウ機構（図示せず）を含む。垂直支持支脚３４の調整は、外科台１０を地面に対して所定高さに位置決めするために、制御ステーション１６かつ／またはコントローラ１９によって制御できる。
【００１９】
図３に示されたように、ベース３２は、除去時にベース３２の内領域６６を暴露する除去可能アクセスカバー５６を含む。ベース３２の内領域６６は動力パック６４および第一コネクタ５８のベース３２の内領域６６内への快適適合を可能にする寸法である。動力パック６４は第一コネクタ５８に接続できかつベース３２の内領域６６内に位置決めできるように構成され、アクセスカバー５６がベース３２上に再設置されるときに、動力パック６４およびコネクタ５８がベース３２の内領域６６内に隠れるようになる。
【００２０】
動力パック６４は、図４および５に図式的に示されたように、配送ライン６０を介してマットレス３８へ動力かつ／または媒体（図示せず）を給送するように構成される。図４および５に示されたように、配送ライン６０の第一端は第一コネクタ５８に接続され、配送ライン６０の第二端は第二コネクタ６２に接続される。配送ライン６０はベース３２から長手方向に延び、かつマットレス３８に向かって支脚３４から垂直方向上方へ延びる。第二コネクタ６２はマットレス３８に一体的に連結された第三コネクタ６３に適合するように構成される。コネクタ５８，６２，６３および配送ライン６０は、ベース３２および支脚３４から隠れた状態で動力かつ／または媒体をマットレスへ配送するのを可能にする。換言すれば、全ホース、ワイヤ、ポンプ、および流体供給ユニットはベース３２および格納式支脚３４内に完全に隠れる。更に、図１−５の形態において、動力パック６４はベース３２により形成される足型（設置面積）に設置され、かつベース３２の足型はフレーム３０の足型よりも狭くかつ小さい寸法である。
【００２１】
図示形態において、動力パック６４はコントローラ、ブロア、コンプレッサ、または液体ポンプ等の流体ポンプ、および空気または流体を加熱するための加熱ユニットを含む。選択的に、マットレス３８は動力パック６４からの電流によって印加される加熱システムを具備してよい。動力パック６４はバッテリ動力を含んでよく、また図４に示されたように動力コード６８を使用して壁面コンセントに接続されてよい。動力パック６４は、更に、マットレス３８の種々の領域への流体流を制御するための制御バルブ、および制御ステーション１６かつ／またはリモコン１９を使用してオペレータ２６からの入力信号を基に装置の作動を制御するためのプロセッサを含む。
【００２２】
図６−８に示されたように、相対的に大きい動力パックが所定タイプのマットレスシステム３８に必要とされてよい。かかる動力パックはベース３２の内領域６６に適合しないような大きさであってよく、従ってかかる場合にはベース３２の外部に位置決めされる。図６は、導管型（ｕｍｂｉｌｉｃａｌ）コネクタ７２によりベース３２に束縛（ｔｅｔｈｅｒ）される外部動力パック７０の一例を示す。導管型コネクタ７２は外科台１０のベース３２へ床レベルで形成される。他の全ラインおよびホースは上述のごとく外科台１０内に隠れる。動力パック７０は外科台１０に隣接して床上に設置されてよい。更に、動力パック７０はＩＶポールまたはスタンドに取り付けるか、または麻酔機カート等の他の設備片に一体化もしくは収納されてよい。
【００２３】
図７に示されたように、更に大きな動力パック７４がベース３２に一体化できる。この場合、ベース延長部７６が、ベース３２の初期足型よりも大きい面積を覆う相対的に大きい足型を提供するために使用される。ベース延長部７６は、アクセスカバー５６が初期に設置されていた場所で大きな動力パック７４のベース３２への接続を可能にする。
【００２４】
更に大きい動力パック７８が必要とされる場合、動力パック７８は図８に示されたように、カート８０上に設置されてよい。再度説明すると、動力パック７８は導管型コネクタ７２によりベース３２に束縛される。この形態において、ＩＶライン３２は動力パック７８を含むカート８０により予備保温されてよい。これは患者支持体、および手術に必要な保温必需品を一つの空間効率包装で統合する。
【００２５】
外科台１０に使用するマットレス３８が図９−２２に示されている。マットレス３８は、図９−１３に示されたように、種々の所定外科位置への患者２４の位置決めを可能にする。マットレス３８は関節式フレーム３０の位置を変化させることなく一つの外科位置から他の外科位置への患者の位置決めまたは移動を可能にする。従って、マットレス３８は、種々の外科位置がフラットな患者支持台のみを有する外科台、または図１０−１３に示された患者支持台等の非常に制限された関節能力しか有しない外科台についても達成できるように、独立した患者位置決め装置として作用する。マットレス３８は、また、例えば関節式フレーム３０が特定外科処置に必要とされる精確な位置決めを実行できない場合に、患者２４の位置決めの微調整を可能にする。従って、マットレス３８は、特定外科台の患者位置決め能力を向上するためにいずれの外科台にも使用できる。
【００２６】
図９に示されたように、マットレス３８は、制御装置８６がマットレス３８に媒体（図示せず）を供給することができるように、管８８を使用して制御装置８６へ連結できるように構成される。制御装置８６からマットレス３８へ供給される媒体は患者２４を所望外科位置へ位置決めするためにマットレス３８の膨張または収縮を可能にする。制御装置８６は、制御装置８６かつ／または制御ステーション１６かつ／またはコントローラ１９上の入力装置８７を使用して制御できる。
【００２７】
種々の異なる外科位置がマットレス３８の所定部を膨張または収縮することにより達成できる。例えば、図９に示されたように、マットレス３８のいくつかの部を膨張することができ、それによりマットレス３８は患者２４の膝の背面または首の背面上を上方から押さえ、患者２４の残部をマットレス３８上で実質的フラットに維持する。同様に、図１０に示されたように、マットレス３８の一部は、患者２４がマットレス３８上でうつ伏せ状態のときに、マットレス３８の一部の収縮により形成されるマットレス３８の開口部内に患者２４の顔を適合させるために、収縮する。図１１に示されたように、患者２４の膝および脚はマットレス３８の膨張部によって上昇する。図１２に示されたように、マットレス３８の一部は、また、外科台の脚部が上昇するときに膨張して患者２４の脚が所定位置へ微調整されると同時に、マットレス３８の他の部を膨張して患者２４の背部（臀部）を上昇させる。更に、図１３に示されたように、マットレス３８の一部は患者２４の臀部を上昇させるために膨張させることができる。図９−１３は、所定外科位置へ患者を位置決めするためにマットレス３８の能力について幾つかの例を示すが、理解されるように、マットレス３８は事実上無限の位置に患者を位置決めするために使用できる。これについては更に後述する。
【００２８】
マットレス３８は図１４に更に詳細に示されている。図１４に示されたように、マットレス３８はヘッドセクション９０、胴セクション９６、レッグセクション９８を含む。図１−１３には示されていないが、マットレス３８のヘッドセクション９０は、図１４に示されたように、また、外ヘッドセクション９２、および内ヘッドセクション９４を含んでよい。この各セクションは、制御装置８６に供給される媒体のマットレス３８の適宜セクションへの移送を可能にするために、図４および１４に示されたようにコネクタ１００を使用してその隣接セクションに連結される。
【００２９】
図１４および１５に示されたように、マットレス３８の各セクションはそれぞれのセクションの内領域１１２を形成する外カバー１１０を含む。マットレス３８の各セクションの外カバー１１０は上面１１４、下面１１６、および上下面１１４，１１６を相互連結する周面１１８を含む。外カバー１１０の上面１１４は患者２４を受ける患者支持台を提供できる構成である。外カバー１１０の下面１１６はフレーム３０上に位置する構成である。
【００３０】
マットレス３８の各部は、図１５に示されたように、また、フォームマットレス構造体１２０、複数のエアブラダ１２２、ビードバッグ位置スタビライザ１２４、およびマットレス３８のそれぞれのセクションの内領域１１２内に位置するように構成された熱パッド１２６を含む。フォームマットレス構造体１２０は、エアブラダ１２２が外カバー１１０の内領域内でフォームマットレス構造体１２０上に位置決めできるように、外カバー１１０の下面１１６に隣接設置される。図１５ｂに示されたように、フォームマットレス構造体１２０は、制御装置８６により供給された媒体のフォームマットレス構造体１２０からエアブラダ１２２への通過を可能にするための一対の流路１３０を含むように形成される。図示されたように、フォームマットレス構造体１２０はスタイロフォーム（Ｓｔｙｒｏｆｏａｍ）材により形成されるが、広範囲の材料が同様に使用できる。
【００３１】
エアブラダ１２２は、図１４および１５に示されたように、フォームマットレス構造体１２０の上に位置決めされかつマットレス３８を横切る。後述するように、エアブラダ１２２は、患者２４を所望外科位置へ位置決めするために制御装置８６により供給される媒体により膨張かつ／または収縮するように構成される。
【００３２】
ビードバッグ位置スタビライザ１２４はエアブラダ１２２上に位置決めされ、かつ所望外科位置でエアブラダ１２２を固定できるように構成される。マットレス３８に使用する適宜ビードバッグ位置スタビライザ１２４および適宜エアブラダは米国特許出願第０８／６９１，５７３号に開示されており、ここに参考として組み込まれる。
【００３３】
熱パッド１２６は、熱パッド１２６が外カバー１１０の上面１１４に隣接設置するように、エアブラダ１２２上に位置決めされる。熱パッド１２６はマットレス３８の上に横たわる患者２４に熱を供給できる構成である。熱パッド１２６は患者２４に熱を供給する加熱装置のいずれのタイプであってもよい。図示例において、熱パッド１２６は、低電圧が材料に供給される場合にその材料にわたって均一熱を提供できる熱伝導材料（Ｇｏｒｉｘ−商標名−等）により形成される。
【００３４】
図１６および１７に示されたように、マットレス３８の各セクションはマットレス３８に良好な患者位置決め制御を提供するための複数の領域を含む形態であってよい。図示例として、図１６に示されたように、マットレス３８のレッグセクション９８は、フットゾーン１４０、ふくらはぎゾーン、膝ゾーン１４４、および腿ゾーン１４６を含むように形成されてよい。マットレス３８の胴セクション９６はシートゾーン１５０、下腰ゾーン１５２、上腰ゾーン１５４、下背ゾーン１５６、および上背ゾーン１５８を含む形態であってよい。更に、ヘッドセクション９０、胴セクション９６、およびレッグセクション９８は各々複数の側ゾーン１６０を含む形態であってよい。図１７に示されたように、外科台１０上に患者２４を位置決めするために種々のゾーンを使用することによって、患者２４を種々の位置に位置決めし、外科医による患者２４の位置の微調整に大きな融通性を付与することができる。
【００３５】
エアブラダ１２２は図１８−２０に更に詳細に示されている。図１８−２０に示されたように、エアブラダ１２２は好適には対で位置決めされ、エアブラダ対において、一方のエアブラダは他方のエアブラダ下に位置する。各エアブラダ対は外カバー１１０の内領域１１２内で他のエアブラダ対に隣接設置され、各エアブラダ対は外カバー１１０内で他のエアブラダ対に当接し、かつマットレス３８の各セクションの端上のエアブラダ対は外カバー１１０の周面１８８に当接する。ブラダ１２２は、患者２４が図１７に示されたように位置決めされるように、好適にはマットレス３８を横切って延在するように構成される。しかし、ブラダ１２２はマットレス３８を長手方向に横切る、またはマットレス３８に対して他の位置になるように構成できる。
【００３６】
図１９に示されたように、ブラダ１２２の形状は、制御装置８６からの媒体がブラダ１２２へ供給されるときに変化する。例えば、図１８に示されかつ図１９の左側に示されたブラダは、媒体（空気または液体等）が供給されていないエアブラダであり、これらのブラダ１２２はフラットでありかつ膨張していない。しかし、媒体により徐々に膨張するブラダ１２２を図１９の左から右へ示した。このようにして、図１９の右側のブラダ１２は完全に膨張し、図１９の真ん中のブラダは単に一部が膨張している。図１９に示されたように、所定対のエアブラダの両ブラダ１２２は同一供給ラインを使用して同時に膨張させる。これは、ブラダ対の両ブラダの膨張かつ／または収縮時に、またはその前後に同様寸法にさせる。
【００３７】
図２０に示されたように、マットレス３８の各セクションのブラダ１２２は、仮にマットレス３８のそのセクションが分離ゾーンを含まなくても、マットレス３８の形状を調整するために使用できる。ブラダ１２２はエアブラダとして説明されているが、理解されるように、マットレスの形状を変えるために媒体（液体、固体、または気体）を受けることのてきるいずれのブラダも使用できる。更に、ブラダ１２２は円形で示されているが、理解されるように、楕円形、長方形、正方形、三角形等いずれの形状のブラダも使用できる。
【００３８】
図２１および２２に示されたように、外科台１０のフレーム３０のレッグセクション５０は第一レッグセクション２４０および第二レッグセクション２４２を含んでよい。第一および第二レッグセクション２４０，２４２は、患者２４の各脚が個別的に位置決めできるようにする。このタイプの形態が使用される場合には、マットレス３８のレッグセクション９８は第一レッグセクション２５０および第二レッグセクション２５２を含む形態である。各レッグセクション２５０，２５２は、図２２に示されたように、図示例においてフットゾーン２６０、ふくらはぎゾーン２６２、膝ゾーン２６４、腿ゾーン２６６、および複数の側ゾーン２６８を含む。これらのゾーンは上述のゾーンと同様に作用して患者２４の広範囲での位置決めを可能にする。
【００３９】
更に、図２１に示されたように、外科台１０は外科台１０のベース３２に取り付けられたフットコントローラ２１９を含んでよい。フットコントローラ２１９は、制御ステーション１６かつ／またはコントローラ１９と同様機能を行なうように構成されるが、フットコントローラ２１９は、外科医２０がフットコントローラ２１９を使用して外科台１０およびマットレス３８の位置を制御できるように、外科台１０のベース３２に取り付けられる点で相違する。
【００４０】
作用として、外科位置面（即ち、マットレス）３８は次のごとく使用される。第一に、外科台１０のフレーム３０かつ／または支脚３４が、制御ステーション１６、コントローラ１９、かつ／またはフットコントローラ２１９を使用して可能なかぎり最良位置に患者２４を設置するために調整される。次に、コントローラ１６，１９かつ／または２１９が、マットレス３８を調整してマットレス３８上の患者２４の位置を微調整するために使用される。実施例として、コントローラ１６，１９，２１９がマットレス３８の自動調整を可能にするように構成され、エアブラダ１２２が媒体で充填されて患者２４とマットレス３８の外カバー１１０間に自然のギャップが生じるようにする。コントローラ１６，１９，２１９は、また、マットレス３８の手動調整を可能にするように構成され、それにより各個別ブラダ対が膨張または収縮して患者２４の位置決めを向上し、患者２４の特定部位の外科的暴露または特定部位への外科的アクセスを改良する。
【００４１】
次に、エアブラダ１２２はエアブラダ１２２からの空気を排出しかつビードバッグ位置スタビライザ１２４を使用することにより安定させ、所望位置でマットレス３８を硬化（または「固定（ｆｒｅｅｚｅ）」）させる。最後に、熱パッド１２６の温度を変更するために、制御装置８６が必要信号を熱パッド１２６へ送信するように、マットレス３８の温度をコントローラ１６，１９，かつ／または２１９を使用して調整する。例えば、熱パッド１２６が伝導材料（Ｇｏｒｉｘ−商標）である場合に、制御装置８６は電圧信号を熱パッド１２６に供給して熱パッド１２６の温度を変更させる。
【００４２】
本発明の他の形態が図２３−２５に示されている。外科台３１０はベース３１２、ベース３１２に連結された下端を有する支脚３１４、および支脚３１４の上端に連結された支持フレーム３１６を含む。フレーム３１６はヘッドフレームセクション３１８、上バックフレームセクション３１４、下バックフレームセクション３２２、シートフレームセクション３２４、およびレッグフレームセクション３２６を含む。デッキセクション３２８，３３０，３３２，３３４，および３３６はフレーム部材３１８，３２０，３２２，３２４，および３２６のそれぞれ間に延在する関節回転可能患者支持デッキ３２７を形成する。マットレス３３８はデッキ３２７上に位置決めされる。図示形態において、マットレス３３８はヘッドセクション３４０、胴セクション４３２、およびレッグセクション３４４を含む。セクション３４０，３４２および３４４の各々は複数の分離ゾーンを含んでよい。理解されるように、マットレス３３８は異なる数量の分離セクションを含んでよい。
【００４３】
動力パック３５０は図２５に示されたように、バックフレームセクション３２０に枢軸回転自在に取り付けられる。動力パック３５０は、適宜コネクタ３５３によりフレームセクション３２０に枢軸回転自在に連結される外包囲体またはハウジング３５２を含み、そのようにしてハウジング３５２は軸３５４を中心に軸回転する。エアカプラ３５６はマットレス３３８へ連結されて空気をマットレス３３８のゾーンまたはセクション３４０，３４２，３４４へ供給する。エアカプラ３５６はリセプタクルまたは孔３５８へ挿入されるように構成されていて、空気は動力パック３５２からピボットコネクタ３５３およびエアカプラ３５６を介してマットレス３３８へ供給される。実施例として、逆止弁がリセプタクル３５８内に設置されてよい。
【００４４】
図示例において、動力パック３５０はエアマットレス３３８内の種々のゾーンへの空気または他の流体の流れを制御するためにブロアまたはコンプレッサ等の空気供給体３６０および複数のバルブ３６２を含む。理解されるように、動力パック３５０は、更に、エアマットレス３３８の種々のゾーン内の圧力を測定するためのセンサを含み、かつ所望によりマットレス３３８へ電気接続を可能にする。動力パック３５０への電気コネクタ接続は、フレーム３１６に沿って支脚３１４およびベース３１２へ延びるケーブルにより形成される。他の形態において、動力プラグが動力パック３５０から離れる方向へ延びてよく、また動力パック３５０は内部バッテリ動力供給源により作動してよい。
【００４５】
マットレス３３８が図２４に示されたようにデッキ３２７上に設置されるときに、空気は空気供給源３６０からマットレス３３８のゾーンへ動力パック３５０を介して供給される。デッキパネル３２８，３３０，３３２，３３４，および３３６は、Ｘ線透過処置をマットレス３３８上の患者に施すことができるように、図示例においてＸ線透過性である。動力パック３５０は、図２４に示されたかつ図２５に点線で示された位置へフレーム３１６に対して少なくとも１８０°枢軸回転可能であり、そのようにしてデッキセクション３３０下の領域３６４がＸ線治療時または領域３６４へのアクセスを必要とする他の処置時に妨害されないようにする。
【００４６】
理解されるように、複数のエアカプラがエアマットレス３３８の異なる領域を動力パック３５０に接続するために設けられてよい。更に、動力パック３５０は外科台３１０のいずれかの側でフレーム３１６の他のセクションへ接続されてよい。
【００４７】
本発明の他の形態が図２６に示されている。図２６の形態において、エアカプラリセプタクル３７０は実施例としてシートデッキセクション３３４に連結されている。逆止弁がリセプタクル内に設置される。動力パック３７２は枢軸回転自在にベース３１２に連結される。図示形態において、動力パック３７２は空気供給源を、バルブ、センサかつ／または他の電気構成要素を受けるためにハウジング３７６を含む。ハウジング３７６の一対の離隔アーム３７８がピボットコネクタ３８０によりベース３１２の離隔側壁３７４に連結されている。従って、動力パック３７２は図２６で実線により示された上方軸回転位置から点線で示された下方軸回転位置へ枢軸回転自在である。上方軸回転位置において、ハウジング３７６はベース３１２の足型内でベース３１２の上面上に位置する。動力パック３７２はＣアーム画像機またはフレーム３１６とベース３１２間の他の設備に間隙を提供するために約１８０°の運動範囲で矢印３８４の方向へ枢軸回転自在である。
【００４８】
図示例として、動力パック３７２はベース３１２のヘッド端に連結される。理解されるように、動力パック３７２は、また、ベース３１２のフット端３８６またはベース３１２の両側部に連結されてよい。動力パック３７２は、従って、ベース３１２に一体化されるが、ベース３１２とフレーム３１６間での付加的アクセスを可能にするために枢軸回転自在である。空気ラインおよび電気ラインは図示例において動力パック３７２とベース３１２間に延在する可撓性コネクタライン３８８を経由する。図示形態において、空気ラインおよび電気ラインは、次に、支脚３１４からコネクタ３７０へ上方に延びる。理解されるように、空気ラインおよび電気ラインは支脚３１４の外側を通る。
【００４９】
本発明の更に他の形態が図２７および２８に示されている。図２３−２６と同様参照番号の要素は同一または同様機能を有する。図２７および２８の形態において、動力パック４００はマットレス３３８に連結されている。動力パック４００は、マットレス３３４のゾーンに空気または他の流体を供給するために空気供給源および複数のバルブを含む。図示形態において、動力パック４００はバック（背）もしくは胴セクション３４２のエッジ４０９へ束縛される包囲体またはハウジング４０６内に設置される。図示されたように、包囲体４０６はマットレス３３８の外カバーと同一材料により形成される。
【００５０】
複数の空気ラインが束縛されたコネクタ４０８からマットレス３３８の種々のゾーンを通る。図２８に最良に示されたように、図示形態において、束縛されたコネクタ４０８はヘッドデッキセクション３２８と上バックデッキセクション３３０間に形成されたスロット４１０へ下方に延びる。ヘッドフレームセクション３１８は図２８の矢印４１２の方向において下方へ移動自在であってマットレス３３８および動力パック４００の設置を可能にする。動力パック４００の動力コネクタ４１４は図示例としてフレーム３１６へ連結されたリセプタクル４１６へ差し込む。実施例として、動力はベース３１２から支脚３１４を経て上方へフレーム３１６に沿ってリセプタクル４１６へ走行する動力ラインへ供給される。
【００５１】
動力パック４００は、点線位置４１８および４２０により示された第一および第二位置へ上方に枢軸回転自在である。点線位置４１８において、動力パック４００は上バックフレームセクション３２０またはデッキセクション３３０へ連結される。点線位置において、動力パック４００はヘッドフレームセクション３１８またはヘッドデッキセクション３２８へ連結される。動力パック４００は、ベルクロ（登録商標）ファスナ、タイ、ストラップ、スナップ、ラッチ等の適宜ファスナによりフレーム３１６またはデッキ３２７へ連結される。
【００５２】
点線４１８および４２０で示されたタック位置または上方軸回転位置において、付加的室がフレーム３１６の下の画像設備または他の設備の操作のために設けられる。通常操作時に、動力パック４００は図２７に示された垂下位置にあり、かつノイズおよび振動を患者から隔離するために、図２８の実線になる。
【００５３】
本発明は特定図示形態を参照して詳細に説明されたが、特許請求の範囲に記載の発明の範囲および精神の範囲内で変更および改変が可能である。
【図面の簡単な説明】
【図１】
手術室環境で使用される本発明の外科台の斜視図であり、外科台上の患者、患者に手術を施す二人の外科医、照明、外科台、および他の手術室設備を制御できる中央制御ステーションに座った第一看護婦、およびリモコンを握った第二看護婦を示す。
【図２】
ベース，ベースから上方へ延在する垂直支持部材（または支脚）、および支持部材から外方へ延在する関節式フレームを含む外科台、およびフレーム上に位置決めされかつ外科処置時に患者を支持できるマットレスを示す、図１の外科台の斜視図である。
【図３】
動力パックを受ける開口部を含む形態のベースを示す、図１の外科台の斜視図である。
【図４】
第一コネクタに差し込まれた動力パック、動力供給ライン、第一コネクタに連結された可撓性空気／流体／粉末処理ライン（またはホース）、垂直支持部材から上方へ延びるように巻回された処理ライン、および処理ラインの第二端をマットレスに連結するための第二コネクタを示すために、ベースおよび支脚が除去された図３の支持面の斜視図である。
【図５】
ベース内に位置決めされた動力パック、垂直支持部材から延びかつマットレスに連結された処理ライン、およびマットレス上の患者を示す、図１−４の外科台の透視側立面図である。
【図６】
ベースの外部に相対的に大きい動力パックを有しかつ導管を介してベースへ連結された外科台を示す、図１−５の外科台に類似の外科台の斜視図である。
【図７】
更に大きい動力パックを収容するために更に大きく形成されたベースを示す、図１−６の外科台に類似の外科台の斜視図である。
【図８】
カート上に位置決めされかつ導管を介してベースに連結された更に大きい動力パック、患者支持体および手術の保温必要品がＩＶ予備保温システム内に統合されるようにＩＶ予備保温システムを含むカートを示す、図１−７の外科台に類似の外科台の側立面図である。
【図９】
液体または気体媒体により膨張自在であってマットレスの形状を変化させて患者を所定手術位置に位置決めするように構成されたマットレスを含む外科台を示す、図１−８の外科台に類似の外科台の斜視図である。
【図１０】
図９のマットレスおよび外科台を使用して達成される手術位置の一つを示す。
【図１１】
図９のマットレスおよび外科台を使用して達成される他の手術位置を示す。
【図１２】
図９のマットレスおよび外科台を使用して達成される他の手術位置を示す。
【図１３】
図９のマットレスおよび外科台を使用して達成される他の手術位置を示す。
【図１４】
レッグセクション、胴セクション、およびヘッドセクションを含むマットレスを示す、図９−１３のマットレスの斜視図である。
【図１５】
（ａ）は下フォームマットレス構造体を有するマットレス、下フォームマットレス構造体上に位置決めされた高振幅エアブラダ、高振幅エアブラダ上に位置決めされたスタイロ（Ｓｔｙｒｏｆｏａｍ）フォームビードバッグ位置スタイビライザ、およびスタイロフォームビードバッグ位置スタイビライザ上に位置決めされた熱パッドを示す、図１４のマットレスの胴セクションの側断面図である。（ｂ）はマットレスの下面からフォームマットレス構造体の流路へ媒体を供給してエアブラダが膨張、収縮するようにする一対の流路を含む形態のフォームマットレス構造を示す、図１４のマットレスの胴セクションの端断面図である。
【図１６】
個別的に膨張収縮できる複数の異なる領域を有するマットレスの各セクションを示す、図１４のマットレスの斜視図である。
【図１７】
患者を所定手術位置へ位置決めするために使用されるマットレスを示す、図９−１６のマットレス上に位置決めされた患者の側立面図である。
【図１８】
マットレスが実質的にフラットになる収縮状態にある、図１５のエアブラダの側面図である。
【図１９】
マットレス上の患者の位置を変更するために膨張した、図１５のエアブラダを示す。
【図２０】
所定圧力まで膨張する個別ブラダに基づく所定形状に対応するマットレスを示す、図９−１７のマットレスの側面図である。
【図２１】
患者の各脚用の分離したレッグセクションを含む形態の関節式デッキパネルおよびマットレスを示し、かつ外科台のデッキパネルを垂直方向に調整し、かつ／またはデッキパネルの種々の部を関節結合し、かつ／または患者を外科処置位置へ位置決めするためにブラダの種々の部を膨張するためのフット制御装置を有するベースを示す、図１−２０の外科台の斜視図である。
【図２２】
複数ゾーンを有する各レッグセクションを示す、図２１のレッグセクションに類似のレッグセクションの斜視図である。
【図２３】
関節式デッキを支持するフレーム、デッキ上に位置決めされるマットレス、およびフレームに枢軸回転自在に連結されたエアマットレス用の空気供給源を含む動力パックを含む本発明の外科台の他の形態を示す分解斜視図である。
【図２４】
デッキ上のマットレス、および支持フレームに対して外方へ軸着された動力パックを示す、図２３の外科台の斜視図である。
【図２５】
フレームへの動力パックの連結の詳細を示す、図２４のフレームおよびデッキを通る断面図である。
【図２６】
エアマットレスのカプラに適合する形態のエアカプラを有する患者支持フレームおよびデッキ、エアマットレス用空気供給および外科台のベースに枢軸回転自在に連結される複数のバルブを含む動力パックを示す本発明の他の形態の斜視図である。
【図２７】
エアマットレスに枢軸回転自在に連結される包囲体内に位置決めされた空気供給源およびバルブを含む動力パックを示す本発明の他の形態の分解斜視図である。
【図２８】
支持フレームおよび外科台のデッキ下に動力パックを位置決めする状態を示す、図２７の形態の側立面図である。
【国際公開パンフレット】
2004503298.tif 000003
2004503298.tif 000004
2004503298.tif 000005
2004503298.tif 000006
2004503298.tif 000007
2004503298.tif 000008
2004503298.tif 000009
2004503298.tif 000010
2004503298.tif 000011
2004503298.tif 000012
2004503298.tif 000013
2004503298.tif 000014
2004503298.tif 000015
2004503298.tif 000016
2004503298.tif 000017
2004503298.tif 000018
2004503298.tif 000019
2004503298.tif 000020
2004503298.tif 000021
2004503298.tif 000022
2004503298.tif 000023
2004503298.tif 000024
2004503298.tif 000025
2004503298.tif 000026
2004503298.tif 000027
2004503298.tif 000028
2004503298.tif 000029
2004503298.tif 000030
2004503298.tif 000031
2004503298.tif 000032
2004503298.tif 000033
2004503298.tif 000034
2004503298.tif 000035
2004503298.tif 000036
2004503298.tif 000037
2004503298.tif 000038
2004503298.tif 000039
【国際公開パンフレット（コレクトバージョン）】
2004503298.tif 000040
2004503298.tif 000041
【手続補正書】
【提出日】平成14年9月23日(2002.9.23)
【手続補正１】
【補正対象書類名】明細書
【補正対象項目名】特許請求の範囲
【補正方法】変更
【補正の内容】
【特許請求の範囲】
【請求項１】
ベース、
前記ベースに連結されたフレーム、
前記フレームにより支持されかつ前記フレーム上に位置して患者を支持するマットレス、および
前記ベース、前記フレーム、および前記マットレスの一つに枢軸回転自在に連結された動力パックを含み、
前記マットレスは媒体を受けることのできる少なくとも一つのブラダを有し、かつ
前記動力パックは前記マットレスの少なくとも一つブラダに媒体を供給するように構成されている、水平位置を含む複数の位置に患者を支持できる患者支持装置。
【請求項２】
前記動力パックはピボットコネクタにより前記フレームに連結されている、請求項１の装置。
【請求項３】
前記媒体は前記ピボットコネクタを介して前記マットレスの少なくとも一つのブラダへ供給される構成である、請求項２の装置。
【請求項４】
前記ピボットコネクタは、前記動力パックからエアカプラを介して前記少なくとも一つのブラダへ空気を供給するために前記マットレスのエアカプラを受けることのできるリセプタクルを含む、請求項３の装置。
【請求項５】
前記フレームはヘッドフレームセクション、バックフレームセクション、シートフレームセクション、およびレッグフレームセクションを含み、かつ前記動力パックは前記バックフレームセクションへ枢軸回転自在に連結されている、請求項１の装置。
【請求項６】
前記動力パックは、前記動力パックが実質的に前記フレーム下に位置決めされる第一位置から、前記動力パックが実質的に前記フレームの外側に位置決めされる第二位置へ枢軸回転自在である、請求項１の装置。
【請求項７】
前記動力パックは前記ベースに枢軸回転自在に連結され、前記動力パックは前記動力パックが実質的に前記ベースの足型内で前記ベースの上面上に位置決めされる第一位置から、前記動力パックが実質的に前記ベースの足型の外側に位置決めされる第二位置へ枢軸回転自在である、請求項１の装置。
【請求項８】
前記動力パックと前記ベース間に連結された可撓性供給ラインを更に含み、前記供給ラインは空気供給ライン、および前記可撓性供給ラインを介して前記動力パックから前記ベースへ延びた電気供給ラインを含む、請求項７の装置。
【請求項９】
前記ベースは相互に離隔した第一および第二側壁を含み、かつ前動力パックはハウジング、ならびに前記ハウジングに連結された相互に離隔した第一および第二アームを含み、第一および第二アームは前記ベースの第一および第二側壁にそれぞれ枢軸回転自在に連結されている、請求項７の装置。
【請求項１０】
前記動力パックから前記ベースを介して前記フレームに隣接設置されたエアカプラへ延びる空気供給ラインを更に含み、前記エアカプラは前記マットレスの対応するエアカプラに係合する構成である、請求項７の装置。
【請求項１１】
前記動力パックは前記マットレスに束縛されている、請求項１の装置。
【請求項１２】
前記動力パックは、前記マットレスが前記フレーム上に位置するときに、前記フレーム下で下方へ延びる構成である、請求項１１の装置。
【請求項１３】
前記フレームに連結された複数のデッキセクションを更に含み、前記マットレスは前記マットレスおよび前記動力パックに連結された束縛コネクタを含み、前記束縛コネクタは、前記マットレスが前記デッキセクション上に位置するときに前記動力パックが前記デッキセクションおよび前記フレームの下に位置決めされるように、隣接するデッキセクション間に延在する、請求項１１の装置。
【請求項１４】
前記動力パックは自由懸垂位置から前記フレームまたは前記デッキセクションの一つに連結された少なくとも一つの保管位置へ移動自在である、請求項１３の装置。
【請求項１５】
前記動力パックは前記フレームおよび前記デッキセクションに対して、相互に離隔した第一および第二保管位置へ移動自在である、請求項１４の装置。
【請求項１６】
前記動力パックから外方へ延びた動力ラインを更に含み、前記動力ラインは前記フレーム上の電気リセプタクルに接続されて前記動力パックへ電力を供給するように構成されている、請求項１１の装置。
【請求項１７】
前記束縛コネクタはバックデッキセクションとヘッドデッキセクションとの間で下方へ延び、前記ヘッドデッキセクションは前記バックデッキセクションに対して移動自在であって前記マットレスおよび前記動力パックの設置を可能にする、請求項１３の装置。
【請求項１８】
前記動力パックにより前記マットレスへ供給される媒体は空気である、請求項１の装置。
【請求項１９】
前記フレームは種々の所定外科位置に付くように構成されている、請求項１の装置。
【請求項２０】
前記マットレスは、前記媒体が前記動力パックにより前記マットレスの少なくとも一つのブラダへ供給されるときに、種々の所定外科位置につくように構成されている、請求項１の装置。
【請求項２１】
前記動力パックは前記マットレスの温度を変更するために前記マットレスへ熱を供給できる構成である、請求項１の装置。
【請求項２２】
前記動力パックから前記マットレスへ媒体を配送するために前記動力パックから前記マットレスへ延びる可撓性ホースを更に含む、請求項１の装置。
【請求項２３】
前記フレームおよび前記ベースを相互に連結する垂直支持部材、および前記動力パックから前記マットレスへ媒体を移送するために前記動力パックと前記マットレス間に延びるホースを更に含み、
前記垂直支持部材は前記ベースに対して複数の異なる高さに前記フレームを位置決めするために垂直方向へ移動する構成であり、かつ
前記ホースは前記ベースおよび前記垂直支持部材内に隠れている、請求項１の装置。
【請求項２４】
前記マットレスはヘッドセクション、前記ヘッドセクションに隣接する胴セクション、および前記胴セクションに隣接するレッグセクションを含み、各前記セクションは少なくとも二つのブラダを有する複数のゾーンを有し、各前記ブラダは個別的に膨張できる構成である、請求項１の装置。
【請求項２５】
前記動力パックの近傍に位置決めされたコントローラを更に含み、前記コントローラは前記動力パックから前記マットレスへの媒体の配送を制御できる構成である、請求項１の装置。
【請求項２６】
前記コントローラは前記ベースに取り付けられかつ外科医の足により操作可能である、請求項２５の装置。
【請求項２７】
前記コントローラは手に持つことのできるワイヤレスコントローラである、請求項２５の装置。
【請求項２８】
前記マットレスは、前記マットレスのカバーの内領域内で少なくとも一つのブラダ上になるように位置決めされかつ前記マットレスの温度を調節できる熱パッドを更に含む、請求項１の装置。
【請求項２９】
ベース、
前記ベースに連結されたフレーム、
前記フレームにより支持されかつ媒体を受けることのできるマットレス、および
前記フレームに枢軸回転自在に連結された動力パックを含み、
前記動力パックは前記マットレスに媒体を供給し、かつ前記動力パックは前記フレーム下の領域へのアクセスを可能にするために前記フレームの実質的下に位置する第一位置から、前記フレームの外側に少なくとも一部が位置する第二位置へ枢軸回転自在である、水平位置を含む複数の位置に患者を支持できる患者支持装置。
【請求項３０】
前記媒体はピボットコネクタを介して前記マットレスへ供給される構成である、請求項２９の装置。
【請求項３１】
前記動力パックは前記フレームの実質的外側の位置へ枢軸回転自在である、請求項２９の装置。
【請求項３２】
前記フレームはヘッドフレームセクション、バックフレームセクション、シートフレームセクション、およびレッグフレームセクションを含み、かつ前記動力パックは前記バックフレームセクションへ枢軸回転自在に連結されている、請求項２９の装置。
【請求項３３】
前記動力パックは前記フレームに対して少なくとも１８０°枢軸回転自在である、請求項２９の装置。
【請求項３４】
ベース、
前記ベースに連結されたフレーム、
前記フレーム上に位置決めされかつ媒体を受けることのできるマットレス、および
前記ベースに枢軸回転自在に連結された動力パックを含み、
前記動力パックは前記マットレスへ媒体を供給し、かつ前記動力パックは前記フレームと前記ベースとの間の領域へのアクセスを可能にするために前記ベースに対する第一位置および第二位置間で枢軸回転自在である、水平位置を含む複数の位置に患者を支持できる患者支持装置。
【請求項３５】
前記動力パックは実質的に前記フレームの下に設置されている、請求項３４の装置。
【請求項３６】
前記動力パックは、前記動力パックが第一位置にあるときに、実質的に前記ベースの足型内に設置されている、請求項３４の装置。
【請求項３７】
前記動力パックは前記ベースに対して少なくとも１８０°枢軸回転自在である、請求項３４の装置。
【請求項３８】
前記動力パックは第一位置において前記ベースに一体化されている、請求項３４の装置。
【請求項３９】
ベース、
前記ベースに連結されたフレーム、
前記フレームにより支持されたマットレス、および
前記マットレスへ媒体を供給する構成の動力パックを含み、
前記動力パックは前記フレーム下で下方へ延びる束縛部材により前記マットレスに連結され、かつ前記動力パックは前記フレーム下の領域へのアクセスを可能にするために前記フレームに向けて上方へ枢軸回転自在である、水平位置を含む複数の位置に患者を支持できる患者支持装置。
【請求項４０】
前記フレームは複数のフレームセクションを含み、かつ前記動力パックは前記複数のフレームセクションの一つに連結されている、請求項３９の装置。
【請求項４１】
前記フレームに連結された複数のデッキセクションを更に含み、前記マットレスは前記マットレスに連結された束縛コネクタを含み、前記束縛コネクタは、前記マットレスが前記デッキセクション上に設置されるときに前記動力パックが前記デッキセクション下に位置決めされるように、前記デッキセクション間に延在する、請求項３９の装置。
【請求項４２】
前記動力パックは自由懸垂位置から、前記フレームおよび前記デッキセクションの一つに連結された少なくとも一つの保管位置へ移動自在である、請求項３９の装置。
【請求項４３】
支持フレーム上に使用自在の患者支持装置であって、
前記フレーム上に設置されたマットレス、および
前記マットレスへ媒体を供給する構成の動力パックを含み、
前記動力パックは、前記マットレスが前記動力パックを支持しかつ床上方に懸垂するように、束縛部材により前記マットレスに連結されている、患者支持装置。
【請求項４４】
前記媒体は前記束縛部材を介して前記マットレスへ供給される、請求項４３の装置。
【請求項４５】
前記動力パックから外方へ延びる動力ラインを更に含み、前記動力ラインは前記動力パックに電力を供給するために電気リセプタクルに接続できる構成である、請求項４３の装置。
【国際調査報告】
2004503298.tif 000042
2004503298.tif 000043